(57)【要約】【課題】１台の内線電話機に、複数の電話番号と電話番号毎に異なる着信音を設定でき、複数の利用者があたかも利用者個人の専用電話機として使用可能なＩＰ電話機を備えた利便性の高いＩＰ構内交換システムを提供する。【解決手段】構内交換機２を構成する呼制御装置３および交換装置４と、１台を複数の利用者（例えば、２人）で共有するＩＰ−ＰＢＸ共有電話機５およびＩＰ−ＰＢＸ共有電話機６と、ＩＰ−ＰＢＸ共有電話機５，６と連動し、それぞれ共有化グループＧ１，Ｇ２を形成するパーソナルコンピュータＰＣ１，ＰＣ２およびパーソナルコンピュータＰＣ３，ＰＣ４と、メールを蓄積し、送信するメールサーバ７とから構成する。【選択図】　図１
2004096194.tif 000002
【特許請求の範囲】
【請求項１】
音声信号をＩＰパケット化して音声通信を行うＩＰ構内交換システムにおいて、
１台の電話機に、ＩＰアドレスと利用者毎にそれぞれ異なる複数の電話番号を割り当て、電話番号毎に異なる着信音を鳴動し、利用者の専用電話機として使用可能なＩＰ電話機と、
前記ＩＰ電話機の複数の電話番号にそれぞれ対応したＩＰアドレスおよびメールアドレスを有する複数のパーソナルコンピュータと、
前記ＩＰ電話機からログインされ、前記ＩＰ電話機のＩＰアドレスおよび電話番号、前記パーソナルコンピュータのＩＰアドレスおよびメールアドレスを格納し、呼制御を行う呼制御装置と、からなるＩＰ構内交換機と、
前記ＩＰ電話機、前記パーソナルコンピュータ、前記呼制御装置および前記交換装置を接続するＬＡＮと、
を備えたことを特徴とするＩＰ構内交換システム。
【請求項２】
前記パーソナルコンピュータは、前記ＩＰ電話機と連動し、前記ＩＰ電話機が着信時に、発着信の電話番号を表示することを特徴とする請求項１記載のＩＰ構内交換システム。
【請求項３】
前記呼制御装置は、前記ＩＰ電話機のＩＰアドレスおよび電話番号、前記パーソナルコンピュータのＩＰアドレスおよびメールアドレスを関連付けて格納する管理テーブルを備えたことを特徴とする請求項１記載のＩＰ構内交換システム。
【請求項４】
不在着信メールを記憶するメールサーバを備え、不在メッセージに応答し、不在電話番号に対応した前記パーソナルコンピュータに不在着信メールを送信することを特徴とする請求項１記載のＩＰ構内交換システム。
【請求項５】
１台の電話機に、ＩＰアドレスおよび利用者毎にそれぞれ異なる複数の電話番号を割り当て、電話番号毎に異なる着信音を鳴動し、利用者の専用電話機として使用可能なＩＰ電話機であって、
ＬＡＮとの間でＩＰパケットの送受信を行うＬＡＮインタフェース、複数の電話番号および電話機のＩＰアドレス、複数の電話番号に対応した複数のパーソナルコンピュータのメールアドレスおよびＩＰアドレスを記憶する記憶手段、電話番号毎に異なる着信音を生成する信号生成手段、発着信の電話番号を表示する表示手段、電話機全体の動作を制御する電話機制御手段を備えたことを特徴とするＩＰ電話機。
【請求項６】
前記電話機制御手段は、着信時に、受信した発着信の電話番号に送信先のＩＰアドレスを付加した着信通知をパーソナルコンピュータに送信させることを特徴とする請求項５記載のＩＰ電話機。
【請求項７】
前記電話機制御手段は、着信から所定時間経過しても着信応答がない場合には、不在メッセージに続いて不在トーキーを送出させることを特徴とする請求項５記載のＩＰ電話機。
【発明の詳細な説明】
【０００１】
【発明の属する技術分野】
本発明は音声信号をＩＰパケット化して音声通信を行うＩＰ構内交換システムに係り、特に１台のＩＰ電話機に複数の電話番号を割り当て、複数の利用者があたかも個人専用の電話機として利用可能なＩＰ構内交換システムに関する。
【０００２】
【従来の技術】
従来の構内交換機（ＰＢＸ）および内線電話機から構成される構内交換システムは、１台の内線電話機に対して１つの電話番号が割り当てられ、構内交換機（ＰＢＸ）も内線電話機毎の電話番号に対して呼制御、呼接続などの制御がなされている。
【０００３】
また、従来の構内交換システムとパーソナルコンピュータを連動させる場合、内線電話機とパーソナルコンピュータの接続は、ＲＳ−２３２Ｃなどのシリアルインタフェースで接続され、内線電話機とパーソナルコンピュータとは、１対１の接続がなされている。
【０００４】
【発明が解決しようとする課題】
従来の構内交換システムは、１台の内線電話機に１つの電話番号が割り当てられ、また、１台の内線電話機と１台のパーソナルコンピュータが接続される構成のため、利用者が専用電話機として使用する場合には、利用者の人数分の内線電話機が必要となる。
【０００５】
一般の事務所などでは、利用者１人が１台の内線電話機を専用に使用せず、２人が１台の内線電話機を共有して使用するケースが多く、着信音を聞いてどちらの人への着信なのか区別ができないため、とても専用電話機とは呼べない。
【０００６】
また、内線電話機の設置スペースが限定される場合、個々人が専用に使用しているパーソナルコンピュータを音声端末として使用するソフトフォンが有効であるが、パーソナルコンピュータが使用可能な状態にならないと、発信ならびに着信ができないことや、パーソナルコンピュータ上で動作しているアプリケーションソフトとの関連によって不安定動作を招く虞がある。
【０００７】
この発明はこのような課題を解決するためになされたもので、その目的は１台の内線電話機に、複数の電話番号と電話番号毎に異なる着信音を設定でき、複数の利用者があたかも利用者個人の専用電話機として使用可能なＩＰ電話機を備えた利便性の高いＩＰ構内交換システムを提供することにある。
【０００８】
【課題を解決するための手段】
前記課題を解決するためこの発明に係るＩＰ構内交換システムは、音声信号をＩＰパケット化して音声通信を行うＩＰ構内交換システムにおいて、１台の電話機に、ＩＰアドレスと利用者毎にそれぞれ異なる複数の電話番号を割り当て、電話番号毎に異なる着信音を鳴動し、利用者の専用電話機として使用可能なＩＰ電話機と、ＩＰ電話機の複数の電話番号にそれぞれ対応したＩＰアドレスおよびメールアドレスを有する複数のパーソナルコンピュータと、ＩＰ電話機からログインされ、ＩＰ電話機のＩＰアドレスおよび電話番号、パーソナルコンピュータのＩＰアドレスおよびメールアドレスを格納し、呼制御を行う呼制御装置とからなるＩＰ構内交換機と、ＩＰ電話機、パーソナルコンピュータ、呼制御装置および交換装置を接続するＬＡＮとを備えたことを特徴とする。
【０００９】
また、この発明に係るパーソナルコンピュータは、ＩＰ電話機と連動し、ＩＰ電話機が着信時に、発着信の電話番号を表示することを特徴とする
【００１０】
さらに、この発明に係る呼制御装置は、ＩＰ電話機のＩＰアドレスおよび電話番号、パーソナルコンピュータのＩＰアドレスおよびメールアドレスを関連付けて格納する管理テーブルを備えたことを特徴とする。
【００１１】
また、この発明に係るＩＰ構内交換システムは、不在着信メールを記憶するメールサーバを備え、不在メッセージに応答し、不在電話番号に対応したパーソナルコンピュータに不在着信メールを送信することを特徴とする。
【００１２】
さらに、この発明に係るＩＰ電話機は、１台の電話機に、ＩＰアドレスおよび利用者毎にそれぞれ異なる複数の電話番号を割り当て、電話番号毎に異なる着信音を鳴動し、利用者の専用電話機として使用可能なＩＰ電話機であって、ＬＡＮとの間でＩＰパケットの送受信を行うＬＡＮインタフェース、複数の電話番号および電話機のＩＰアドレス、複数の電話番号に対応した複数のパーソナルコンピュータのメールアドレスおよびＩＰアドレスを記憶する記憶手段、電話番号毎に異なる着信音を生成する信号生成手段、発着信の電話番号を表示する表示手段、電話機全体の動作を制御する電話機制御手段を備えたことを特徴とする。
【００１３】
また、この発明に係る電話機制御手段は、着信時に、受信した発着信の電話番号に送信先のＩＰアドレスを付加した着信通知をパーソナルコンピュータに送信させることを特徴とする。
【００１４】
さらに、この発明に係る電話機制御手段は、着信から所定時間経過しても着信応答がない場合には、不在メッセージに続いて不在トーキーを送出させることを特徴とする。
【００１５】
【発明の実施の形態】
以下、この発明の実施の形態を添付図面に基づいて説明する。図１はこの発明に係るＩＰ構内交換システムの実施の形態基本構成図である。図１において、ＩＰ構内交換システム１は、構内交換機２を構成する呼制御装置３および交換装置４と、１台を複数の利用者（例えば、２人）で共有するＩＰ−ＰＢＸ共有電話機（ＩＰ電話機）５およびＩＰ−ＰＢＸ共有電話機（ＩＰ電話機）６と、ＩＰ−ＰＢＸ共有電話機５，６と連動し、それぞれ共有グループＧ１，Ｇ２を形成するパーソナルコンピュータＰＣ１，ＰＣ２およびパーソナルコンピュータＰＣ３，ＰＣ４と、メールを蓄積し、送信するメールサーバ７とから構成する。
各々がＬＡＮ−１と接続され、ＬＡＮ−１は、ルータ８を介してＩＰ網ＮＴと接続されている。
【００１６】
呼制御装置３、交換装置４、ＩＰ−ＰＢＸ共有電話機５、ＩＰ−ＰＢＸ共有電話機６、パーソナルコンピュータＰＣ１，ＰＣ２、パーソナルコンピュータＰＣ３，ＰＣ４間は、ＬＡＮ−１で接続し、音声信号、メールおよび各種情報（電話番号、ＩＰアドレス、メールアドレス等）をＩＰパケットで伝送する。
【００１７】
呼制御装置３は、ＬＡＮ−１に接続して構内交換機２の一部を構成し、ＩＰ−ＰＢＸ共有電話機５およびＩＰ−ＰＢＸ共有電話機６を複数の利用者で共有するためのデータを格納する管理テーブル３ａを備え、管理テーブル３ａのデータに基づいて呼制御を実行する。
【００１８】
管理テーブル３ａは、ＩＰ−ＰＢＸ共有電話機５およびＩＰ−ＰＢＸ共有電話機６のＩＰアドレスおよび電話番号、パーソナルコンピュータＰＣ１，ＰＣ２とパーソナルコンピュータＰＣ３，ＰＣ４のＩＰアドレスおよびメールアドレスを格納する。
【００１９】
また、管理テーブル３ａは、システムが動作可能状態になった時点で、ＩＰ−ＰＢＸ共用電話機５，６を呼制御装置３の制御下で動作するように、ＩＰ−ＰＢＸ共有電話機５，６からログインされ、ＩＰ−ＰＢＸ共有電話機５，６のＩＰアドレスおよび電話番号と、パーソナルコンピュータＰＣ１〜ＰＣ４のＩＰアドレスおよびメールアドレスとを関連付けて格納する。
【００２０】
図５はこの発明に係る管理テーブルの一実施の形態イメージ図である。図５において、管理テーブル３ａは、ＩＰ−ＰＢＸ共用電話機５のＩＰアドレスＡＴ１「１９２．１６８．０．１２」と、電話番号ＮＴ１「２００１」，ＮＴ２「２００２」と、電話番号ＮＴ１「２００１」に関連付けたパーソナルコンピュータＰＣ１のＩＰアドレスＡＰ１「１９２．１６８．０．１」およびメールアドレスＭＰ１「２００１＠ｍａｉｌ」および電話番号ＮＴ２「２００２」に関連付けたパーソナルコンピュータＰＣ２のＩＰアドレスＡＰ２「１９２．１６８．０．２」およびメールアドレスＭＰ２「２００２＠ｍａｉｌ」を格納する。
【００２１】
同様に、管理テーブル３ａは、ＩＰ−ＰＢＸ共有電話機６のＩＰアドレスＡＴ２「１９２．１６８．０．３４」と、電話番号ＮＴ３「２００３」，ＮＴ４「２００４」と、電話番号ＮＴ３「２００３」に関連付けたパーソナルコンピュータＰＣ３のＩＰアドレスＡＰ３「１９２．１６８．０．３」およびメールアドレスＭＰ３「２００３＠ｍａｉｌ」および電話番号ＮＴ４「２００４」に関連付けたパーソナルコンピュータＰＣ４のＩＰアドレスＡＰ４「１９２．１６８．０．４」およびメールアドレスＭＰ４「２００４＠ｍａｉｌ」を格納する。
【００２２】
呼制御装置３は、ＩＰ−ＰＢＸ共有電話機５，６から発呼があると、着番号（被呼者電話番号）のＩＰアドレスを管理テーブルから検索し、検索したＩＰアドレスの共有電話機に発番号（発呼者電話番号）および着番号（被呼者電話番号）を送信し、共有電話機の着番号に対応した着信音を鳴動させるとともに、表示器に発番号および着番号を表示させる。
【００２３】
また、呼制御装置３は、着番号（被呼者電話番号）に対応したパーソナルコンピュータＰＣのＩＰアドレスを検索し、検索したパーソナルコンピュータＰＣに発番号（発呼者電話番号）および着番号（被呼者電話番号）の着信通知を送信し、パーソナルコンピュータＰＣの画面上に発番号および着番号を表示させる。
【００２４】
さらに、呼制御装置３は、着番号の利用者が不在で、共有電話機から不在応答がある場合、不在着信メールをメールサーバ７に送信し、メールサーバ７に不在着信メールを蓄積させる。
【００２５】
このように、この発明に係る呼制御装置３は、ＩＰ−ＰＢＸ共有電話機５，６のＩＰアドレスおよび電話番号、パーソナルコンピュータＰＣ１〜ＰＣ４のＩＰアドレスおよびメールアドレスを関連付けて格納する管理テーブル３ａを備えたので、複数の電話番号が設定されたＩＰ−ＰＢＸ共有電話機５，６ならびに電話番号に対応したパーソナルコンピュータＰＣ１〜ＰＣ４の呼制御を確実に実行することができる。
【００２６】
交換装置４は、ＬＡＮ−１に接続され、呼制御装置３とともに構内交換機２を構成し、ＩＰトランク、内線電話機ＴＥ１〜ＴＥｋや局線トランクを介して公衆網であるＰＳＴＮを収容している。ＩＰ−ＰＢＸ共有電話機５やＩＰ−ＰＢＸ共有電話機６と内線電話機ＴＥ１〜ＴＥｋ相互間の呼接続、ＩＰ−ＰＢＸ共有電話機５やＩＰ−ＰＢＸ共有電話機６、内線電話機ＴＥ１〜ＴＥｋとＰＳＴＮ側に接続されている電話機等と相互間（局線間）の呼接続を行う。
【００２７】
ＩＰ−ＰＢＸ共有電話機５は、ＬＡＮ−１に接続する多機能電話機で構成し、１台の電話機にＩＰアドレス「１９２．１６８．０．１２」と利用者（２人）毎に異なる２つの電話番号「２００１」，「２００２」を割り当て、着信時に、電話番号「２００１」，「２００２」のそれぞれに対応して異なる着信音を鳴動し、利用者を区別して呼び出す。
【００２８】
ＩＰ−ＰＢＸ共有電話機６は、１台の電話機にＩＰアドレス「１９２．１６８．０．３４」と利用者（２人）毎に異なる２つの電話番号「２００３」，「２００４」を割り当て、着信時に、電話番号「２００３」，「２００４」のそれぞれに対応して異なる着信音を鳴動し、利用者を区別して呼び出す。
【００２９】
１台の電話機を２人で共有しても、２つの電話番号「２００１」，「２００２」を割り当て、電話番号「２００１」，「２００２」毎に異なる着信音を設定するので、どちらの利用者への着信か着信音で区別することができ、あたかも利用者の専用電話機として利用することができる。
【００３０】
また、ＩＰ−ＰＢＸ共有電話機５は、パーソナルコンピュータＰＣ１およびパーソナルコンピュータＰＣ２と、共有グループＧ１を形成する。パーソナルコンピュータＰＣ１およびパーソナルコンピュータＰＣ２は、電話番号「２００１」，「２００２」が割り当てられた２人の利用者が専用に使用する。また、パーソナルコンピュータＰＣ１およびパーソナルコンピュータＰＣ２は、ＩＰ−ＰＢＸ共有電話機５と連動し、電話のダイヤル発信機能、着信時の発番号（発呼者電話番号）および着番号（被呼者電話番号）表示機能、不在着信メール受信機能を有する。
【００３１】
ＩＰ−ＰＢＸ共有電話機５は、電話のダイヤル発信機能および着信の番号表示機能でパーソナルコンピュータＰＣ１およびパーソナルコンピュータＰＣ２と連動させるため、パーソナルコンピュータＰＣ１およびパーソナルコンピュータＰＣ２にそれぞれ電話番号「２００１」，「２００２」と関連付けたＩＰアドレス「１９２．１６８．０．１」，「１９２．１６８．０．２」およびメールアドレス「２００１＠ｍａｉｌ」、「２００２＠ｍａｉｌ」を設定し、記憶する。
【００３２】
共有グループＧ２を形成するＩＰ−ＰＢＸ共有電話機６とパーソナルコンピュータＰＣ３およびパーソナルコンピュータＰＣ４も、共有グループＧ１と同様である。
【００３３】
パーソナルコンピュータＰＣ１およびパーソナルコンピュータＰＣ２は、それぞれＬＡＮ−１に接続し、ＩＰ−ＰＢＸ共用電話機５と共有グループＧ１を形成する。また、パーソナルコンピュータＰＣ１およびパーソナルコンピュータＰＣ２は、ＩＰ−ＰＢＸ共有電話機５と、電話のダイヤル発信機能、着信時の発番号（発呼者電話番号）および着番号（被呼者電話番号）表示機能、不在着信メール受信機能で連動する。
【００３４】
パソコンの豊富な機能の一部を共有電話の機能として利用し、ダイヤル発信時に、共有電話機のダイヤルキーの操作に代えてパソコンに記憶した電話帳をパソコン画面上に表示し、発信相手先をクリックしてダイヤル発信を実行する。
【００３５】
また、電話の着信時に、発番号（発呼者電話番号）および着番号（被呼者電話番号）をパソコン画面上に表示させる。また、表示させた発番号（発呼者電話番号）に発呼者名称などを付けてパソコンの電話帳に登録する。
【００３６】
パーソナルコンピュータＰＣ１およびパーソナルコンピュータＰＣ２は、ＩＰ−ＰＢＸ共有電話機５と電話機能を連動するために、ＩＰ−ＰＢＸ共有電話機５に割り当てられた電話番号「２００１」，「２００２」に対応したＩＰアドレス「１９２．１６８．０．１」，「１９２．１６８．０．２」およびメールアドレス「２００１＠ｍａｉｌ」、「２００２＠ｍａｉｌ」を付与し、ＩＰ−ＰＢＸ共有電話機５が着信時に、ＩＰ−ＰＢＸ共有電話機５または呼制御装置３から送信されてくる発着信（発呼側および受呼側）の電話番号（発番号および着番号）を受信してパソコン画面上に表示する。
【００３７】
ＩＰ−ＰＢＸ共有電話機６と共有グループＧ２を形成するパーソナルコンピュータＰＣ３およびパーソナルコンピュータＰＣ４についても、パーソナルコンピュータＰＣ１およびパーソナルコンピュータＰＣ２と同様である。
【００３８】
なお、パーソナルコンピュータＰＣ１〜ＰＣ４は、電話機能の他に、パソコン本来の機能である電子メールなどのパソコン通信を実行する。
【００３９】
このように、この発明に係るパーソナルコンピュータＰＣ１〜ＰＣ４は、ＩＰ−ＰＢＸ共有電話機５，６と連動し、ＩＰ−ＰＢＸ共有電話機５，６が着信時に、発着信の電話番号（発番号および着番号）を表示するので、自分宛て着信音が聞こえると、パーソナルコンピュータ画面上で、誰からの自分宛ての着信かを認識することができ、共有電話機にも拘わらず、専用電話機としての利便性の向上を図ることができる。
【００４０】
メールサーバ７は、ＬＡＮ−１に接続し、着信時に、ＩＰ−ＰＢＸ共有電話機５または呼制御装置３から供給される不在の電話番号（例えば、「２００１」）の不在着信メールに応答（受信）して記憶（蓄積）し、不在着信メールを該当するメールアドレス（例えば、「２００１＠ｍａｉｌ」）のパソコン（例えば、パーソナルコンピュータＰＣ１）に送信する。
【００４１】
このように、この発明に係るＩＰ構内交換システム１は、不在着信メールを記憶するメールサーバ７を備え、不在メッセージに応答し、不在電話番号（例えば、「２００１」）に対応したパーソナルコンピュータ（例えば、ＰＣ１）に不在着信メールを送信するので、ＩＰ−ＰＢＸ共有電話機５，６に着信した電話番号の利用者が不在でも、不在の利用者のパーソナルコンピュータに不在着信メールを残し、不在時の着信履歴を管理することができ、利便性の向上を図ることができる。
【００４２】
なお、本実施の形態では、共有電話機をＩＰ−ＰＢＸ共有電話機５，６の２台とし、共有グループ１，２のパーソナルコンピュータもそれぞれパーソナルコンピュータＰＣ１，２およびパーソナルコンピュータＰＣ３，４の２台づつの構成としたが、ＩＰ−ＰＢＸ共有電話機の台数、共有者およびパーソナルコンピュータの台数は、３台（共有者は３人）以上で構成してもよい。
【００４３】
以上の説明のように、この発明に係るＩＰ構内交換システム１は、音声信号をＩＰパケット化して音声通信を行うものであって、１台の電話機に、ＩＰアドレスと利用者毎にそれぞれ異なる複数の電話番号を割り当て、電話番号毎に異なる着信音を鳴動し、利用者の専用電話機として使用可能なＩＰ−ＰＢＸ共有電話機５，６と、ＩＰ−ＰＢＸ共有電話機５，６の複数の電話番号にそれぞれ対応したＩＰアドレスおよびメールアドレスを有する複数のパーソナルコンピュータＰＣ１〜ＰＧ４と、ＩＰ−ＰＢＸ共有電話機５，６からログインされ、ＩＰ−ＰＢＸ共有電話機５，６のＩＰアドレスおよび電話番号、パーソナルコンピュータＰＣ１〜ＰＣ４のＩＰアドレスおよびメールアドレスを格納し、呼制御を行う呼制御装置３と、局線、ＩＰトランク、内線電話機を収容する交換装置４とからなるＩＰ構内交換機２と、ＩＰ−ＰＢＸ共有電話機５，６、パーソナルコンピュータＰＣ１〜ＰＣ４、呼制御装置３および交換装置４を接続するＬＡＮ（ＬＡＮ−１）とを備えたので、ＩＰ−ＰＢＸ共有電話機５，６の利用者は、自分専用のパーソナルコンピュータからダイヤル発信し、自分に割り当てられた着信音と電話番号表示によって自分宛ての着信を他の共有者から区別して容易に認識し、あたかも利用者個人の専用電話機として使用することができ、利便性の向上ならびにシステムのコスト削減を実現することができる。
【００４４】
図２はこの発明に係るＩＰ−ＰＢＸ共有電話機の一実施の形態要部ブロック構成図である。図２において、ＩＰ−ＰＢＸ共有電話機５，６は、ＬＡＮインタフェース９、ＤＳＰ（Ｄｉｇｉｔａｌ　Ｓｉｇｎａｌ　Ｐｒｏｃｅｓｓｏｒ）１０、コーデック１１、増幅器１２、電話機制御手段１３、記憶手段１４、信号生成手段１５、ＬＥＤ（発光ダイオード）やＬＣＤ（液晶表示器）などの表示手段１６、ダイヤルキーおよび機能キー等の操作キー１７、ハンドセット１８、着信音を発生するスピーカ１９を備える。
【００４５】
ＬＡＮインタフェース９は、ＬＡＮ−１と接続してインタフェースを取り、電話機制御手段１３の制御により、音声信号ならびに各種情報のＩＰパケットを送受信する。
【００４６】
ＤＳＰ（Ｄｉｇｉｔａｌ　Ｓｉｇｎａｌ　Ｐｒｏｃｅｓｓｏｒ）１０は、電話機制御手段１３の制御により、ＩＰパケットをディジタル信号に変換してコーデック１１に供給する。また、ＤＳＰ（Ｄｉｇｉｔａｌ　Ｓｉｇｎａｌ　Ｐｒｏｃｅｓｓｏｒ）１０は、ディジタル信号をＩＰパケットに変換してＬＡＮインタフェース９に供給する。
【００４７】
コーデック１１は、電話機制御手段１３の制御により、ＤＳＰ（Ｄｉｇｉｔａｌ　Ｓｉｇｎａｌ　Ｐｒｏｃｅｓｓｏｒ）１０から供給されるディジタル信号をアナログの音声信号に変換（復号化）して増幅器１２に供給する。また、コーデック１１は、増幅器１２から供給される音声信号に符号化を施してディジタル信号とし、ディジタル信号をＤＳＰ（Ｄｉｇｉｔａｌ　Ｓｉｇｎａｌ　Ｐｒｏｃｅｓｓｏｒ）１０に供給する。
【００４８】
増幅器１２は、送話アンプ、受話アンプ、スピーカアンプで構成し、コーデック１１から供給される受話の音声信号を増幅してハンドセット１８の受話口から音声で出力する。
【００４９】
また、増幅器１２は、ハンドセット１８の送話口から入力された送話音声が音響−電気変換された送話信号を増幅してコーデック１１に供給する。さらに、増幅器１２は、着信時に、電話機制御手段１３の制御により、信号生成手段１５からコーデック１１を介して供給される着信信号を増幅し、スピーカ１９から着信音を出力する。
【００５０】
電話機制御手段１３は、マイクロプロセッサを基本に各種処理機能、演算機能、一時記憶手段、タイマ等を備え、ＬＡＮインタフェース９、ＤＳＰ（Ｄｉｇｉｔａｌ　Ｓｉｇｎａｌ　Ｐｒｏｃｅｓｓｏｒ）１０、コーデック１１、増幅器１２、記憶手段１４、信号生成手段１５、表示手段１６および操作キー１７の動作を制御する。
【００５１】
電話機制御手段１３は、ＩＰ−ＰＢＸ共有電話機５，６が動作可能状態になった場合、記憶手段１４に登録（記憶）にされたＩＰ−ＰＢＸ共有電話機５，６のＩＰアドレスおよび電話番号、パーソナルコンピュータＰＣ１〜ＰＣ４のＩＰアドレスおよびメールアドレスを読み出し、ＬＡＮインタフェース９を介してＬＡＮ−１に送信し、図１に示す呼制御装置３の管理テーブル３ａに登録させるログインの実行を制御する。
【００５２】
また、電話機制御手段１３は、着信時に、ＬＡＮインタフェース９で受信した発番号（発呼者電話番号）および着番号（被呼者電話番号）を取り込み、発番号および着番号を表示手段１６に供給して表示させる。
【００５３】
さらに、電話機制御手段１３は、着信時に取り込んだ着番号（例えば、電話番号「２００１」、「２００２」）に対応したメロディ指令を信号生成手段１５に供給し、信号生成手段１５から電話番号（「２００１」、「２００２」）に対応して予め設定された着信音信号を生成させ、コーデック１１、増幅器１２を介してスピーカ１９から電話番号（「２００１」、「２００２」）に対応した着信音を発生させる。
【００５４】
また、電話機制御手段１３は、着信時に取り込んだ発番号および着番号を一時記憶し、記憶手段１４から電話番号（例えば、電話番号「２００１」）に関連付けて記憶したパソコンのＩＰアドレス（例えば、「１９６．１６８．０．１」）を読み出して一時記憶した発番号および着番号に付加した着信通知をＬＡＮインタフェース９からＬＡＮ−１に送出させ、パソコン（例えば、パーソナルコンピュータＰＣ１）の画面上に発番号および着番号を表示させる。
【００５５】
このように、この発明に係る電話機制御手段１３は、着信時に、受信した発着信の電話番号に送信先のＩＰアドレスを付加した着信通知をパーソナルコンピュータＰＣ１〜ＰＣ４に送信させるので、着信した電話番号の利用者のパーソナルコンピュータに発信元の電話番号および着信した電話番号を表示することができる。
【００５６】
さらに、電話機制御手段１３は、操作キー１７から供給されるキー情報に基づいてＩＰ−ＰＢＸ共有電話機５，６のＩＰアドレスおよび電話番号、パーソナルコンピュータＰＣ１〜ＰＣ４のＩＰアドレスおよびメールアドレスを記憶手段１４に登録（記憶）させる。
【００５７】
また、電話機制御手段１３は、着信してからの時間経過を計時し、所定時間が経過してもハンドセット１８がオフフック（着信応答）されない場合には、着番号の利用者（被呼者）が不在と認識し、取り込んだ着番号に対応したメッセージ指令、続いてトーキー指令を信号生成手段１５に供給し、信号生成手段１５から着番号（電話番号）に対応して予め設定された不在メッセージ、不在トーキーを生成させ、コーデック１１、ＤＳＰ（Ｄｉｇｉｔａｌ　Ｓｉｇｎａｌ　Ｐｒｏｃｅｓｓｏｒ）１０、ＬＡＮインタフェース９を介してＬＡＮ−１に不在メッセージに続き不在トーキを送出させる。
【００５８】
このように、この発明に係る電話機制御手段１３は、着信から所定時間経過しても着信応答がない場合には、不在メッセージに続いて不在トーキーを送出させるので、発信側のＩＰ−ＰＢＸ電話機ならびにパーソナルコンピュータに着信側の不在を通知することができる。
【００５９】
記憶手段１４は、書換え可能なＲＡＭ等のメモリで構成し、電話機制御手段１３の制御により、ＩＰ−ＰＢＸ共有電話機５，６のＩＰアドレスおよび電話番号、パーソナルコンピュータＰＣ１〜ＰＣ４のＩＰアドレスおよびメールアドレスを記憶（格納）し、出力する。
【００６０】
図６はこの発明に係る記憶手段の記憶領域の一実施の形態イメージ図である。（ａ）図にＩＰアドレス、電話番号、メールアドレスの記憶領域イメージ図、（ｂ）図に着信音、不在メッセージ、不在トーキーの指令イメージ図である。
【００６１】
（ａ）図において、ＩＰアドレス、電話番号、メールアドレスの記憶領域は、ＩＰ−ＰＢＸ共有電話機５，６から呼制御装置３にログインするデータであり、図５に示す管理テーブル３ａと同一である。
【００６２】
（ｂ）図において、着信電話番号（着番号）に対応して着信音のメロディ指令、不在メッセージのメッセージ指令および不在トーキーのトーキー指令を記憶する。実際の着信音、不在メッセージおよび不在トーキーは、信号生成手段１５で生成するため、各指令は、信号生成手段１５を駆動するための制御信号である。
【００６３】
次に、ＩＰ構内交換システム１の動作シーケンスについて説明する。図３はこの発明に係るＩＰ構内交換システムの発信−応答の一実施の形態動作シーケンス図である。なお、共有グループＧ２のパーソナルコンピュータＰＣ３（電話番号「２００３」に対応）から共有グループＧ１のＩＰ−ＰＢＸ共有電話機５の電話番号「２００１」に発呼し、ＩＰ−ＰＢＸ共有電話機５が応答する場合について説明する。
【００６４】
図３において、まず、ＩＰ−ＰＢＸ共有電話機５およびＩＰ−ＰＢＸ共有電話機６は、動作可能になった時点で呼制御装置３にログインする。ログインとは、ＩＰ−ＰＢＸ共有電話機５，６を呼制御装置３の制御下で動作するように登録する動作である。
【００６５】
ＩＰ−ＰＢＸ共有電話機５，６は、ログインの際に、自電話番号と自電話機のＩＰアドレス、電話番号の利用者（共有者）に該当するメールアドレスとパーソナルコンピュータＰＣ１〜ＰＣ４のＩＰアドレスを呼制御装置３に送信する。これにより、呼制御装置３は、該当する電話番号に対する情報をどのアドレスに送信すればよいかの関連付けが可能になる。
【００６６】
図３では、ＩＰ−ＰＢＸ共有電話機５の２人の共有者の１人に割り当てられた▲１▼電話番号「２００１」とＩＰ−ＰＢＸ共有電話機５のＩＰアドレス「１９２．１６８．０．１２」、電話番号「２００１」用のメールアドレス「２００１＠ｍａｉｌ」とパーソナルコンピュータＰＣ１のＩＰアドレス「１９２．１６８．０．１」、および２人の共有者の他の１人に割り当てられた▲２▼電話番号「２００２」とＩＰ−ＰＢＸ共有電話機５のＩＰアドレス「１９２．１６８．０．１２」、電話番号「２００２」用のメールアドレス「２００２＠ｍａｉｌ」とパーソナルコンピュータＰＣ２のＩＰアドレス「１９２．１６８．０．２」を呼制御装置３に送信する。呼制御装置３は、▲１▼および▲２▼の情報を受信し、ＩＰ−ＰＢＸ共有電話機５のＩＰアドレスと電話番号、パーソナルコンピュータＰＣ１，ＰＣ２のメールアドレスとＩＰアドレスを図５に示す管理テーブル３ａに格納する。
【００６７】
同様に、ＩＰ−ＰＢＸ共有電話機６の２人の共有者の１人に割り当てられた▲３▼電話番号「２００３」とＩＰ−ＰＢＸ共有電話機６のＩＰアドレス「１９２．１６８．０．３４」、電話番号「２００３」用のメールアドレス「２００３＠ｍａｉｌ」とパーソナルコンピュータＰＣ３のＩＰアドレス「１９２．１６８．０．３」、および２人の共有者の他の１人に割り当てられた▲４▼電話番号「２００４」とＩＰ−ＰＢＸ共有電話機６のＩＰアドレス「１９２．１６８．０．３４」、電話番号「２００４」用のメールアドレス「２００４＠ｍａｉｌ」とパーソナルコンピュータＰＣ４のＩＰアドレス「１９２．１６８．０．４」を呼制御装置３に送信する。呼制御装置３は、▲３▼および▲４▼の情報を受信し、ＩＰ−ＰＢＸ共有電話機６のＩＰアドレスと電話番号、パーソナルコンピュータＰＣ３，ＰＣ４のメールアドレスとＩＰアドレスを図５に示す管理テーブル３ａに格納する。
【００６８】
次に、パーソナルコンピュータＰＣ３からＩＰ−ＰＢＸ共有電話機５（例えば、電話番号「２００１」）に対して発呼の起動をかける。この発呼起動は、ＩＰ−ＰＢＸ共有電話機６のＩＰアドレス「１９２．１６８．０．３４」宛にコマンドを送信することによって実行する。
【００６９】
ＩＰ−ＰＢＸ共有電話機６は、パーソナルコンピュータＰＣ３からのコマンドを受信すると、パーソナルコンピュータＰＣ３に対応した電話番号「２００３」を判定し、発呼番号「２００３」、着呼番号「２００１」の発呼情報を呼制御装置３に発呼する。
【００７０】
呼制御装置３は、ＩＰ−ＰＢＸ共有電話機６からの発呼情報を受信すると、着呼番号「２００１」に基いて図５に示す管理テーブル３ａを検索し、着呼番号「２００１」がＩＰ−ＰＢＸ共有電話機５の電話番号「２００１」であることを認識し、ＩＰ−ＰＢＸ共有電話機５宛に、発呼番号「２００３」、着呼番号「２００１」を発呼する呼制御を実行する。
【００７１】
また、呼制御装置３は、着呼番号「２００１」がＩＰ−ＰＢＸ共有電話機５の電話番号「２００１」であることを認識すると、図５に示す管理テーブル３ａで検索したパーソナルコンピュータＰＣ１のＩＰアドレス「１９２．１６８．０．１」を発呼番号「２００３」、着呼番号「２００１」に付加した『Ｘ：着信通知』をパーソナルコンピュータＰＣ１宛に送信する呼制御を実行する。
【００７２】
ＩＰ−ＰＢＸ共有電話機５は、呼制御装置３からの発呼番号「２００３」、着呼番号「２００１」の着信情報を受信すると、着呼番号「２００１」に対応した「着信音」を発生して電話番号「２００１」への利用者（共有者）に着信であることを通知するとともに、表示手段１６に発呼番号「２００３」および着呼番号「２００１」を表示する。
【００７３】
パーソナルコンピュータＰＣ１は、呼制御装置３からのＩＰアドレス「１９２．１６８．０．１」、発呼番号「２００３」および着呼番号「２００１」の『Ｘ：着信通知』を受信すると、パソコン画面上に発呼番号「２００３」および着呼番号「２００１」を表示してパーソナルコンピュータＰＣ１の利用者への着信であることを通知する。
【００７４】
なお、パーソナルコンピュータＰＣ１画面上への発呼番号「２００３」および着呼番号「２００１」の表示を呼制御装置３からの『Ｘ：着信通知』で行うことに代えて、ＩＰ−ＰＢＸ共有電話機５からＩＰアドレス「１９２．１６８．０．１」を発呼番号「２００３」、着呼番号「２００１」に付加した『Ｙ：着信通知』を送信してパソコン画面上に表示するように構成してもよい。
【００７５】
続いて、ＩＰ−ＰＢＸ共有電話機５がハンドセット１８を持ち上げて（オフフック状態にして）着信に応答すると、呼制御装置３が応答を検知してＩＰ−ＰＢＸ共有電話機６に接続制御し、ＩＰ−ＰＢＸ共有電話機６の電話番号「２００３」の利用者（共有者）とＩＰ−ＰＢＸ共有電話機５の電話番号「２００１」の利用者（共有者）との通話が成立する。
【００７６】
通話が終了し、ＩＰ−ＰＢＸ共有電話機６のハンドセット１８の戻す（オンフック状態）と、呼制御装置３を介して切断が実行される。
【００７７】
図４はこの発明に係るＩＰ構内交換システムの発信−不在応答の一実施の形態動作シーケンス図である。なお、共有グループＧ２のパーソナルコンピュータＰＣ３（電話番号「２００３」に対応）から共有グループＧ２のＩＰ−ＰＢＸ共有電話機５の電話番号「２００１」に発呼し、ＩＰ−ＰＢＸ共有電話機５の電話番号「２００１」の利用者が不在で応答できない場合について説明する。
【００７８】
また、パーソナルコンピュータＰＣ３から発呼してＩＰ−ＰＢＸ共有電話機５の電話番号「２００１」に着信するまでの動作シーケンスは、図３と同一なので省略する。
【００７９】
図４において、ＩＰ−ＰＢＸ共有電話機５の電話番号「２００１」に着信すると、ＩＰ−ＰＢＸ共有電話機５は、着信音で呼び出しを継続するが、予め設定した所定時間が経過すると、利用者（共有者）が不在と判定し、呼制御装置３に不在応答メッセージを送信し、続いて不在応答トーキーを送信する。
【００８０】
呼制御装置３は、ＩＰ−ＰＢＸ共有電話機５からの不在応答メッセージを受信すると、メールサーバ７に対し、電話番号「２００１」に該当するメールアドレスに『Ｖ：不在着信メール』を送信する。
【００８１】
メールサーバ７は、『Ｖ：不在着信メール』を受信すると、パーソナルコンピュータＰＣ１にメールアドレス「２００１＠ｍａｉｌ」を発呼番号「２００３」、着呼番号「２００１」に付加した『Ｖ：不在着信メール』を送信する。
【００８２】
なお、呼制御装置３からメールサーバ７に『Ｖ：不在着信メール』を送信することに代えてＩＰ−ＰＢＸ共有電話機５からメールサーバ７に『Ｗ：不在着信メール』を送信するように構成してもよい。
【００８３】
また、パーソナルコンピュータＰＣ１から予めメールサーバ７にメール転送設定を行ない、メール転送先を携帯電話機などのＥ−ｍａｉｌアドレスに設定しておくことにより、電話番号「２００１」の加入者（共有者）は、外出先からでも不在着信メールを受信することができ、自分宛の電話の着信履歴を知ることができる。
【００８４】
ＩＰ−ＰＢＸ共有電話機５は、不在応答メッセージ、不在応答トーキーを送信後、不在トーキーをＩＰ−ＰＢＸ共有電話機６に送信し、ＩＰ−ＰＢＸ共有電話機６が切断処理を実行して終了する。
【００８５】
なお、図３および図４で、ＩＰ−ＰＢＸ共有電話機５とＩＰ−ＰＢＸ共有電話機６の呼接続について説明したが、交換装置４からＩＰ−ＰＢＸ共有電話機５，６への着信についても同様に処理することができる。
【００８６】
【発明の効果】
以上説明したように、この発明に係るＩＰ構内交換システムは、音声信号をＩＰパケット化して音声通信を行うＩＰ構内交換システムにおいて、１台の電話機に、ＩＰアドレスと利用者毎にそれぞれ異なる複数の電話番号を割り当て、電話番号毎に異なる着信音を鳴動し、利用者の専用電話機として使用可能なＩＰ−ＰＢＸ共有電話機（ＩＰ電話機）と、ＩＰ−ＰＢＸ共有電話機の複数の電話番号にそれぞれ対応したＩＰアドレスおよびメールアドレスを有する複数のパーソナルコンピュータと、ＩＰ−ＰＢＸ共有電話機からログインされ、ＩＰ−ＰＢＸ共有電話機のＩＰアドレスおよび電話番号、パーソナルコンピュータのＩＰアドレスおよびメールアドレスを格納し、呼制御を行う呼制御装置と、局線、ＩＰトランク、内線電話機を収容する交換装置とからなるＩＰ構内交換機と、ＩＰ−ＰＢＸ共有電話機、パーソナルコンピュータ、呼制御装置および交換装置を接続するＬＡＮとを備えたので、ＩＰ−ＰＢＸ共有電話機の利用者は、自分専用のパーソナルコンピュータからダイヤル発信し、自分に割り当てられた着信音と電話番号表示によって自分宛ての着信を他の共有者から区別して容易に認識し、あたかも利用者個人の専用電話機として使用することができ、利便性の向上ならびにシステムのコスト削減を実現することができる。
【００８７】
また、この発明に係るパーソナルコンピュータは、ＩＰ−ＰＢＸ共有電話機（ＩＰ電話機）と連動し、ＩＰ−ＰＢＸ共有電話機が着信時に、発着信の電話番号を表示するので、自分宛て着信音が聞こえると、パーソナルコンピュータ画面上で、誰からの自分宛ての着信かを認識することができ、共有電話機にも拘わらず、専用電話機としての利便性の向上を図ることができる。
【００８８】
さらに、この発明に係る呼制御装置は、ＩＰ−ＰＢＸ共有電話機（ＩＰ電話機）のＩＰアドレスおよび電話番号、パーソナルコンピュータのＩＰアドレスおよびメールアドレスを関連付けて格納する管理テーブルを備えたので、複数の電話番号が設定されたＩＰ−ＰＢＸ共有電話機ならびに電話番号に対応したパーソナルコンピュータの呼制御を確実に実行することができる。
【００８９】
また、この発明に係るＩＰ構内交換システムは、不在着信メールを記憶するメールサーバを備え、不在メッセージに応答し、不在電話番号に対応したパーソナルコンピュータに不在着信メールを送信するので、ＩＰ−ＰＢＸ共有電話機（ＩＰ電話機）に着信した電話番号の利用者が不在でも、不在の利用者のパーソナルコンピュータに不在着信メールを残し、不在時の着信履歴を管理することができ、利便性の向上を図ることができる。
【００９０】
さらに、この発明に係るＩＰ−ＰＢＸ共有電話機（ＩＰ電話機）は、１台の電話機に、ＩＰアドレスおよび利用者毎にそれぞれ異なる複数の電話番号を割り当て、電話番号毎に異なる着信音を鳴動し、利用者の専用電話機として使用可能なＩＰ−ＰＢＸ共有電話機であって、ＬＡＮとの間でＩＰパケットの送受信を行うＬＡＮインタフェース、複数の電話番号および電話機のＩＰアドレス、複数の電話番号に対応した複数のパーソナルコンピュータのメールアドレスおよびＩＰアドレスを記憶する記憶手段、電話番号毎に異なる着信音を生成する信号生成手段、発着信の電話番号を表示する表示手段、電話機全体の動作を制御する電話機制御手段を備えたので、電話番号毎に異なる着信音を鳴動し、発着信の電話番号を表示することにより、あたかも利用者個人の専用電話機として使用することができ、利便性の向上を図ることができる。
【００９１】
また、この発明に係る電話機制御手段は、着信時に、受信した発着信の電話番号に送信先のＩＰアドレスを付加した着信通知をパーソナルコンピュータに送信させるので、着信した電話番号の利用者のパーソナルコンピュータに発信元の電話番号および着信した電話番号を表示することができる。
【００９２】
さらに、この発明に係る電話機制御手段は、着信から所定時間経過しても着信応答がない場合には、不在メッセージに続いて不在トーキーを送出させるので、発信側のＩＰ−ＰＢＸ共有電話機（ＩＰ電話機）ならびにパーソナルコンピュータに着信側の不在を通知することができる。
【図面の簡単な説明】
【図１】この発明に係るＩＰ構内交換システムの実施の形態基本構成図である。
【図２】この発明に係るＩＰ−ＰＢＸ共有電話機の一実施の形態要部ブロック構成図である。
【図３】この発明に係るＩＰ構内交換システムの発信−応答の一実施の形態動作シーケンス図である。
【図４】この発明に係るＩＰ構内交換システムの発信−不在応答の一実施の形態動作シーケンス図である。
【図５】この発明に係る管理テーブルの一実施の形態イメージ図である。
【図６】この発明に係る記憶手段の記憶領域の一実施の形態イメージ図である。
【符号の説明】
１　ＩＰ構内交換システム
２　構内交換機
３　呼制御装置
３ａ　管理テーブル
４　交換装置
５，６　ＩＰ−ＰＢＸ共有電話機
７　メールサーバ
８　ルータ
９　ＬＡＮインタフェース
１０　ＤＳＰ（Ｄｉｇｉｔａｌ　Ｓｉｇｎａｌ　Ｐｒｏｃｅｓｓｏｒ）
１１　コーデック
１２　増幅器
１３　電話機制御手段
１４　記憶手段
１５　信号生成手段
１６　表示手段
１７　操作キー
１８　ハンドセット
１９　スピーカ
２０
ＰＣ１〜ＰＣ４　パーソナルコンピュータ
ＬＡＮ１，ＬＡＮ２　ラン
【図１】
2004096194.tif 000003
【図２】
2004096194.tif 000004
【図３】
2004096194.tif 000005
【図４】
2004096194.tif 000006
【図５】
2004096194.tif 000007
【図６】
2004096194.tif 000008